(57)【要約】【課題】天井を外すことなくパネルを交換することができ、尚且つ、意匠性及び作業性の双方を好適に維持しつつかご室内側からパネル交換を行うことができる、エレベータかご等の提供。【解決手段】エレベータかご１は、天井３及びかご床５の間に立設された複数の柱枠７と、対応する一対の柱枠の間を架橋するように一対の柱枠の間に配置された複数のパネルパネル９、１０，１１，１２，１３とを備え、複数のパネルは、一対の柱枠の間で、上下に並べて配置されており、少なくとも一つは、クリップ支持パネル９であり、クリップ支持パネルと、一対の柱枠のそれぞれとの一方側には、クリップ３１が設けられ、他方側には、クリップに対する挿入部２５が設けられており、クリップ支持パネルは、クリップに対する挿入部の抜き差しにより着脱可能に柱枠に支持されている。【選択図】図１
2014034462.tif 000002
【特許請求の範囲】
【請求項１】
天井及びかご床の間に立設された複数の柱枠と、
対応する一対の前記柱枠の間を架橋するように該一対の柱枠の間に配置された複数のパネルとを備え、
前記複数のパネルは、前記一対の柱枠の間で、上下に並べて配置されており、
前記複数のパネルのうちの少なくとも一つは、クリップ支持パネルであり、
前記クリップ支持パネルと、前記一対の柱枠のそれぞれとの一方側には、クリップが設けられ、他方側には、クリップに対する挿入部が設けられており、
前記クリップ支持パネルは、前記クリップに対する前記挿入部の抜き差しにより着脱可能に前記柱枠に支持されている、
エレベータかご。
【請求項２】
前記複数のパネルとして前記クリップ支持パネル以外のパネルには、複数の締結固定パネルが含まれており、
前記複数の締結固定パネルのそれぞれと、前記一対の柱枠のそれぞれとの間は、締結具によって固定されている、
請求項１のエレベータかご。
【請求項３】
前記柱枠には、前記クリップ支持パネルに引き抜き力を付与する引き抜き治具を挿入するアクセス口が設けられており、
前記クリップ支持パネルには、パネル取り付け時における前記アクセス口に対応した位置に、前記引き抜き治具が引っ掛けられる切り欠き部が設けられている、
請求項１又は２のエレベータかご。
【請求項４】
上下に並ぶ前記複数のパネルにおいて、相対的に上方の前記パネルの下部と、相対的に下方の前記パネルの上部との一方側には、クリップが設けられ、他方側には、クリップに対する挿入部が設けられている、
請求項１乃至３の何れか一項のエレベータかご。
【請求項５】
かご床上に立設された複数の柱枠と、対応する一対の前記柱枠の間を架橋するように該一対の柱枠の間に配置された複数のパネルとを備え、前記複数のパネルは、前記一対の柱枠の間で、上下に並べて配置されており、前記複数のパネルのうちの少なくとも一つは、クリップ支持パネルであり、前記クリップ支持パネルと、前記一対の柱枠のそれぞれとの一方側には、クリップが設けられ、他方側には、クリップに対する挿入部が設けられているエレベータかごを用意し、
一枚目の前記パネルを取り外す先行工程では、前記挿入部が前記クリップから引き抜かれるように前記エレベータかご室の内側から前記クリップ支持パネルを引っ張るだけで、該クリップ支持パネルを前記柱枠から取り外し、
二枚目以降の前記パネルを取り外す後続工程では、前記パネルが取り外されたスペースを利用して、前記エレベータかご室の内側から、順次、前記パネルを前記柱枠から取り外す、
ことを含むエレベータかご室のパネル交換方法。
【請求項６】
前記柱枠には、引き抜き治具を挿入するアクセス口が設けられており、前記クリップ支持パネルには、前記引き抜き治具が引っ掛けられる切り欠き部が設けられており、
前記先行工程においては、前記アクセス口から前記引き抜き治具を挿入し、該引き抜き治具を前記切り欠き部に引っ掛けた状態で、該引き抜き治具を前記エレベータかご室の内側から引っ張ることで、前記挿入部を前記クリップから引き抜き、前記クリップ支持パネルを前記柱枠から取り外す、
請求項５のエレベータかご室のパネル交換方法。
【発明の詳細な説明】
【技術分野】
【０００１】
本発明は、エレベータかご及びエレベータかご室のパネル交換方法に関するものである。
【背景技術】
【０００２】
特許文献１に例示されるように、従来、エレベータかごのかご室を構成する壁においては、壁割り構成は縦方向のものが多く、壁を構成するパネル同士の連結には、ボルトが用いられていた。
【０００３】
しかしながら、特許文献１に例示されるような縦方向の壁割り構成では、パネルの上部がボルトで天井に連結されていた。そのため、改修工事等で壁の新規交換を行う場合、天井を取り外してからでないとパネルの交換ができない問題があった。また、パネル同士の連結や、各パネルと天井との連結は、かご室外側（パネル裏面側）でボルト締めされていたため、作業者は、パネル交換時、昇降路側から作業を行わなければならない問題があった。
【０００４】
上記に関連しては、さらに、特許文献２に、壁割り構成を横方向にしたエレベータかごが開示されている。このエレベータかごでは、各パネルの各端部を、内隅片と称する目地材によって枠材へと押し付けて固定していた。このため、天井を外すことなく特定のパネルを取り外すことはできるものの、パネルを外す前に、目地材を固定するねじを外し、さらに、目地材そのものを外す必要があり、取り外しに時間がかかる問題がある。さらに、目地材を固定するねじはそのままではかご室内側に露出し見栄えが悪いので、室内用シートで覆う等の何らかの処理を施す必要があった。また、そのようなねじの見栄え処理は、ねじにアクセスするまでの手間を更に増やすこととなり、最終的に、パネルを外すまでの作業が更に時間がかかるものとなる要因でもある。
【先行技術文献】
【特許文献】
【０００５】
【特許文献１】特開平１−２９４１８８号公報
【特許文献２】特開平１０−２６５１５１号公報
【発明の概要】
【発明が解決しようとする課題】
【０００６】
本発明は、上記に鑑みてなされたものであり、天井を外すことなくパネルを交換することができ、尚且つ、意匠性及び作業性の双方を好適に維持しつつかご室内側からパネル交換を行うことができる、エレベータかご及びエレベータかご室のパネル交換方法を提供することを目的とするものである。
【課題を解決するための手段】
【０００７】
上述した目的を達成するため、本発明のエレベータかごは、天井及びかご床の間に立設された複数の柱枠と、対応する一対の前記柱枠の間を架橋するように該一対の柱枠の間に配置された複数のパネルとを備え、前記複数のパネルは、前記一対の柱枠の間で、上下に並べて配置されており、前記複数のパネルのうちの少なくとも一つは、クリップ支持パネルであり、前記クリップ支持パネルと、前記一対の柱枠のそれぞれとの一方側には、クリップが設けられ、他方側には、クリップに対する挿入部が設けられており、前記クリップ支持パネルは、前記クリップに対する前記挿入部の抜き差しにより着脱可能に前記柱枠に支持されている。
【発明の効果】
【０００８】
本発明によれば、天井を外すことなくパネルを交換することができ、尚且つ、意匠性及び作業性の双方を好適に維持しつつかご室内側からパネル交換を行うことができる。
【図面の簡単な説明】
【０００９】
【図１】本実施の形態に係るエレベータかごのかご室構成面を外側から示す図である。
【図２】図１の矢印ＩＩの方向からみたかご室構成面を示す図である。
【図３】図１のＩＩＩ−ＩＩＩ線に沿う縦断面を示す図である。
【図４】かご床と柱枠との連結態様を示す斜視図である。
【図５】天井と柱枠との連結態様を示す斜視図である。
【図６】クリップ支持パネルを裏面側から示す斜視図である。
【図７】かご床と最下位置のパネルとの連結態様を示す縦断面図である。
【図８】クリップ材を示す図である。
【図９】天井と最上位置のパネルとの連結態様を示す縦断面図である。
【図１０】図１のＸ−Ｘ線に沿う横断面である。
【図１１】図１のＸＩ−ＸＩ線に沿う横断面である。
【図１２】柱枠に設けられたアクセス口を示す図である。
【図１３】アクセス口に挿入する引き抜き治具の一例を示す図である。
【図１４】引き抜き治具をアクセス口に挿入した状態を示す図である。
【発明を実施するための形態】
【００１０】
以下、本発明に係るエレベータかご及びエレベータかご室のパネル交換方法の実施の形態について添付図面に基づいて説明する。なお、複数図における同一参照符号は同一又は同種部分を示すものとする。
【００１１】
実施の形態１．
図１は、本実施の形態に係るエレベータかごのかご室構成面を外側から示す図である。また、図２は、図１の矢印ＩＩの方向からみたかご室構成面を示す図であり、図３は、図１のＩＩＩ−ＩＩＩ線に沿う縦断面を示す図である。
【００１２】
エレベータかご１は、少なくとも、天井３、かご床５、天井３及びかご床５の間に立設された複数の柱枠７と、複数のパネル９、１０，１１，１２、１３、１５とを備える。具体的には、本実施の形態１では、天井３及びかご床５が平面視、矩形に構成されており、それに対応して、複数の柱枠７は４本設けられており、柱枠７はそれぞれ、天井３及び柱枠７の四隅のうちの対応する隅部において上下に延びている。
【００１３】
図４に示されるように、かご床５と各柱枠７とは、ボルト１７で連結される取り付け金具１９によって相互に連結されている。同様に、図５に示されるように、天井３と各柱枠７ともまた、ボルト１７で連結される取り付け金具２１によって相互に連結されている。
【００１４】
また、上述した矩形に対応し、本実施の形態１では、かご室構成面のうち左右側壁、後壁に相当する３面が、それぞれ複数のパネル９、１０，１１，１２、１３、１５により構成されている。以降、説明を明瞭にするため、その１面分に関して説明を行う。
【００１５】
一対の柱枠７の間には、複数のパネル９、１０，１１，１２、１３、１５が配置される。パネル９、１０，１１，１２、１３、１５はそれぞれ、対応する一対の柱枠７を架橋するように横方向に延びている。また、パネル９、１０，１１，１２、１３、１５は、対応する一対の柱枠７の間で、上下に並べて配置されている。
【００１６】
本発明は、端的には、複数のパネルのうちの少なくとも一つは、クリップ支持パネルであり、そのクリップ支持パネルと、一対の柱枠のそれぞれとの一方側には、クリップが設けられ、他方側には、クリップに対する挿入部が設けられており、クリップ支持パネルは、クリップに対する挿入部の抜き差しにより着脱可能に柱枠７に支持されている。また、複数のパネルとしてクリップ支持パネル以外のパネルには、複数の締結固定パネルが含まれている。これに関し、本実施の形態１の具体例を説明する。
【００１７】
本実施の形態１は、複数のパネル９、１０，１１，１２、１３、１５は、１枚のクリップ支持パネル９と、５枚の締結固定パネル１０，１１，１２、１３、１５とに分類される。
【００１８】
図６は、クリップ支持パネル９を裏面側すなわちかご室との反対側から示す斜視図である。クリップ支持パネル９は、表面がかご室内側を指向する矩形の本体面９ａと、本体面９ａの四辺からそれぞれ裏面側に立ち上がる上面９ｂ、下面９ｃ、左右側面９ｄ，９ｄとを有する。さらに、上面９ｂの端部からは下方に向けて上部折り曲げ片９ｅが延びており、下面９ｃの端部からは上方に向けて下部折り曲げ片９ｆが延びている。
【００１９】
上面９ｂと上部折り曲げ片９ｅとの屈曲部には、複数の開口２３が設けられており、同様に、下面９ｃと下部折り曲げ片９ｆとの屈曲部にも、複数の開口２３が設けられている。そして、これら開口２３を画定する上面９ｂの部分及び下面９ｃの部分が、後述する上下の連結に関するクリップに対する挿入部２５として機能する。また、左右側面９ｄ，９ｄにはそれぞれ、切り欠き部２１が設けられている。そして、左右側面９ｄ，９ｄそれぞれにおいて、切り欠き部２１の上下の領域が、後述する側部の支持に関するクリップに対する挿入部２５として機能する。なお、切り欠き部２１は、後述するようにパネル取り付け時におけるアクセス口に対応した位置に引き抜き治具が引っ掛けられるように設けられているものとする。
【００２０】
次に、パネル９、１０，１１，１２、１３、１５の上下の連結について説明する。まず、図７に示されるように、かご床５の上面には、かご巾木台２７が固定されており、そのかご巾木台２７の表面側にかご巾木２８が取り付けられている。
【００２１】
かご巾木台２７の上部には、締結固定パネル１３がボルト１７によって固定されている。締結固定パネル１３は、クリップ支持パネル９の本体面９ａ、上面９ｂ、下面９ｃ、左右側面９ｄ，９ｄ、上部折り曲げ片９ｅ及び下部折り曲げ片９ｆに相当する部分を有しているが、開口２３については必須ではない。締結固定パネル１３は、その下面１３ｃにおいて、かご巾木台２７に固定されている。
【００２２】
また、締結固定パネル１３の上面１３ｂ及び上部折り曲げ片１３ｅには、クリップ材２９が取り付けられている。クリップ材２９は、図８に示されるように、側面視ほぼＬ字状に構成されており、例えば、図示省略するねじ等によって締結固定パネル１３の上部折り曲げ片１３ｅに取り付けられており、クリップ材２９の先端と締結固定パネル１３の上面１３ｂとの間で、対応する挿入部２５を挟み込む。前述した開口２３は、このとき、クリップ材２９の先端が挿入されるべき部分である。このように、本実施の形態１では、クリップ材２９と、それを支持する対応部分とが、クリップ３１として機能する。
【００２３】
一方、天井３の下部には、図９に示されるように、締結固定パネル１５がボルト１７によって固定されている。締結固定パネル１５は、クリップ支持パネル９の本体面９ａ、上面９ｂ、下面９ｃ、左右側面９ｄ，９ｄ、上部折り曲げ片９ｅ及び下部折り曲げ片９ｆに相当する部分を有しているが、開口２３については必須ではない。締結固定パネル１５は、その上面１５ｂにおいて、かご巾木台２７に固定されている。
【００２４】
また、締結固定パネル１５の下面１５ｃ及び下部折り曲げ片１５ｆには、クリップ材２９が取り付けられており、締結固定パネル１５の下面１５ｃ及び下部折り曲げ片１５ｆ、並びに、クリップ材２９がクリップ３１として機能する。
【００２５】
さらに、主に図３に基づいて、複数のパネル間の上下の連結について詳細に説明する。まず、本実施の形態１では、パネル９、１０，１１，１２の相互間が、図中Ｙ部として示されているように、相対的に上方のパネルの下部にクリップ材２９が設けられ、相対的に下方のパネルの上部に開口２３及び挿入部２５が設けられているように構成されている。そして、Ｙ部拡大部に示されているように、クリップ３１を構成する上方のパネルの下面（１２ｃ）とクリップ材２９との間に、下方のパネルの挿入部２５（上面９ｂ）が挿入される。これにより、クリップ材２９の弾性力によって挿入部２５が保持され、パネル９、１０，１１，１２が相互に支持される。
【００２６】
また、パネル９、１３の間は、図中Ｚ部として示されているように、相対的に上方のパネル９の下部に開口２３及び挿入部２５が設けられ、相対的に下方のパネルの上部にクリップ材２９が設けられているように構成されている。そして、Ｚ部拡大部に示されているように、クリップ３１を構成するパネル１３の上面１３ｂとクリップ材２９との間に、パネル９の挿入部２５である上面９ｂが挿入される。なお、以上から分かるように、上下の連結に関しては、クリップ支持パネル９だけは、クリップ３１及び挿入部２５のうち、挿入部２５側だけを担うように構成されている。
【００２７】
次に、パネル９、１０，１１，１２、１３、１５の側部の支持について説明する。パネルの側部の支持態様は、２つのパターンが採用されている。図１０及び図１１はそれぞれ、図１のＸ−Ｘ線及びＸＩ−ＸＩ線に沿う横断面である。締結固定パネル１０，１１，１２、１３、１５の支持態様は、図１０に示す第１の支持態様であり、クリップ支持パネル９の支持態様は、図１１に示す第２の支持態様である。図１０に示されるように、締結固定パネル１０，１１，１２、１３、１５のそれぞれと、対応する一対の柱枠７のそれぞれとの間は、ボルト１７によって固定されている。
【００２８】
一方、図１１に示されるように、クリップ支持パネル９の側部は、対応する一対の柱枠７のそれぞれに設けられたクリップ３１によって支持される。すなわち、柱枠７には、クリップ材２９が上下に並んで二つ固定されており、これら柱枠７及びクリップ材２９の間に、クリップ支持パネル９における対応する左右側面９ｄ，９ｄの上下一対の挿入部２５が挿入される。なお、以上から分かるように、クリップ支持パネル９は、その上下左右をクリップ３１によって支持されており、換言するならば、ボルトのような締結手段による固定はなされずに柱枠７に支持される。
【００２９】
次に、以上のように構成されたエレベータかご室のパネル交換方法について説明する。まず、複数のパネル９、１０，１１，１２，１３のうちの一枚目のパネルとしてクリップ支持パネル９を取り外す先行工程を実施する。これは、挿入部２５がクリップ３１から引き抜かれるようにエレベータかご室の内側からクリップ支持パネル９を引っ張るだけで、クリップ支持パネル９を柱枠７から取り外すことができる。本実施の形態１では、具体的には次のようにして行う。
【００３０】
図１２は、柱枠に設けられたアクセス口を示す図であり、（ａ）は斜視図、（ｂ）は（ａ）の矢印ＸＩＩの方向から見た側面図である。図１３は、アクセス口に挿入する引き抜き治具の一例を示す図であり、図１４は、引き抜き治具をアクセス口に挿入した状態を示す図である。柱枠７のそれぞれのかご室内側のコーナーには、アクセス口３３が設けられている。このアクセス口３３は、かご室構成面の対応する２面分に対して作業が行えるように拡がっている。また、エレベータの通常の運転時には、ゴム栓等のカバー３５（図２参照）によって閉塞されている。
【００３１】
前述した一枚目のパネルとしてクリップ支持パネル９を取り外す先行工程としては、まず、カバー３５を外して、アクセス口３３をかご室内側に露出させ、そのアクセス口３３に図１４に示されるように引き抜き治具３７を挿入する。引き抜き治具３７の先端部３７ａはフック状をなしているので、この先端部３７を、対応するクリップ支持パネル９の左右側面９ｄ，９ｄの切り欠き部２１に引っ掛ける。そして、エレベータかご室の内側から引き抜き治具３７をアクセス口３３から引き抜くように引っ張ることで、挿入部２５がクリップ３１から引き抜かれ、クリップ支持パネル９が柱枠７から外される。かかる引き抜き動作は、勿論、左右片側ずつ行うことも不可能ではないが、二つの引き抜き治具３７を用いて、左右両側を同時にまたは併行して行うとより簡単に完了する。
【００３２】
一枚目のパネルとして、クリップ支持パネル９を取り外したならば、二枚目以降のパネルを取り外す後続工程として、パネルが取り外されたスペースを介して、エレベータかご室の内側から、順次、パネルを柱枠７から取り外す。すなわち、クリップ支持パネル９を取り外すことで、クリップ支持パネル９があった位置に貫通スペースが出現するので、そのスペースから、対象のボルト１７を緩め又は除去し、残りの締結固定パネル１０，１１，１２、１３、１５を順次、柱枠７から取り外す。このようにして、天井３は柱枠７に対して残したまま、複数のパネル９、１０，１１，１２，１３だけを全て柱枠７から取り外すことができる。
【００３３】
以上説明したように、本実施の形態１に係るエレベータかご及びエレベータかご室のパネル交換方法によれば、壁割り構成を横方向にした複数のパネルのうちの少なくとも一枚を、かご室内側に露出する締結手段を介さないクリップ支持態様としたので、天井を外すことなくパネルを交換することができ、尚且つ、意匠性及び作業性の双方を好適に維持しつつかご室内側からパネル交換を行うことができる。また、残りのパネルには、締結手段による固定を伴う締結固定パネルが含まれているが、その締結手段は、パネルの本体面の裏面側（昇降路側）に配置されるので、かご室内側の意匠性を低下させることもない。さらに、そのように締結手段を、パネルの昇降路側に配置しているものの、締結手段を緩める段階では、少なくとも一枚分のパネルが外された貫通スペースが必ず確保されているので、作業者は昇降路側からではなくかご室の内側から全てのパネルを外すことができ、且つ、作業性も良好である。
【００３４】
また、一枚目として外すクリップ支持パネルは、全てパネルの裏面側に配置されたクリップにより支持されているが、アクセス口を介してパネルの裏面側にまわり込む引き抜き治具を用いることで、かご室内側から引き抜き治具を引っ張るだけで容易にクリップ支持パネルを取り外すことができる。さらに、クリップ支持パネルの取り外しには、カバーを除去するだけで、すぐに引き抜き治具を使用できるようになり、従来のようにボルトを除去したり柱枠を外したりといった作業は必要なく、一枚目のパネルを極めて短時間で外すことができる。
【００３５】
以上、好ましい実施の形態を参照して本発明の内容を具体的に説明したが、本発明の基本的技術思想及び教示に基づいて、当業者であれば、種々の改変態様を採り得ることは自明である。
【００３６】
例えば、本発明は、上述した実施の形態１に示したクリップ材と挿入部とを設けた対象を逆に設定して実施することもできる。すなわち、一例を挙げると、クリップ支持パネルにクリップ材を設け、それぞれその相手方に挿入部を設けるように構成することも可能であろう。
【符号の説明】
【００３７】
１  エレベータかご、３  天井、５  かご床、７  柱枠、９  クリップ支持パネル、１０，１１，１２、１３、１５  締結固定パネル、１７  ボルト、２１  切り欠き部、２５  挿入部、２９  クリップ材、３１  クリップ、３３  アクセス口、３７  引き抜き治具。
【図１】
2014034462.tif 000003
【図２】
2014034462.tif 000004
【図３】
2014034462.tif 000005
【図４】
2014034462.tif 000006
【図５】
2014034462.tif 000007
【図６】
2014034462.tif 000008
【図７】
2014034462.tif 000009
【図８】
2014034462.tif 000010
【図９】
2014034462.tif 000011
【図１０】
2014034462.tif 000012
【図１１】
2014034462.tif 000013
【図１２】
2014034462.tif 000014
【図１３】
2014034462.tif 000015
【図１４】
2014034462.tif 000016